(57)【要約】【課題】画像、および当該画像に関連する地図の視認性を向上させることが可能な技術を提供する。【解決手段】携帯電話機１Ａは、第１表示部１５を有する第１筐体と、第２表示部１６を有する第２筐体と、画像データと当該画像データに関連付けられた位置情報とを取得する取得手段と、現在位置に関する現在位置情報を取得する位置情報取得部１１５と、画像データに関連付けられた位置情報と現在位置情報とに基づいて、現在位置から画像データに関連付けられた位置情報によって示される地点までの経路を表した案内地図を生成する案内情報取得部１１６と、第１表示部１５および第２表示部１６における表示内容を制御する表示制御部１１３とを備え、表示制御部１１３は、案内地図を第１表示部に表示させ、画像データに基づく画像を第２表示部に表示させる。【選択図】図４
2011090002.tif 000002
【特許請求の範囲】
【請求項１】
第１表示部を有する第１筐体と、
第２表示部を有する第２筐体と、
画像データと当該画像データに関連付けられた位置情報とを取得する取得手段と、
現在位置に関する現在位置情報を取得する位置情報取得手段と、
前記画像データに関連付けられた前記位置情報と前記現在位置情報とに基づいて、前記現在位置から前記画像データに関連付けられた前記位置情報によって示される地点までの経路を表した案内地図を取得する案内情報取得手段と、
前記第１表示部および前記第２表示部における表示内容を制御する表示制御手段と、
を備え、
前記表示制御手段は、前記案内地図を前記第１表示部に表示させ、前記画像データに基づく画像を前記第２表示部に表示させる携帯型電子機器。
【請求項２】
前記第２表示部を視認可能な第１状態と、前記第２表示部を視認不可能な第２状態との間で変位可能に、前記第１筐体と前記第２筐体とを連結する機構と、
前記第１状態と前記第２状態とを検出する状態検出手段と、
をさらに備え、
前記表示制御手段は、前記案内地図を前記第１表示部に表示させるとともに、前記状態検出手段によって前記第１状態が検出された場合、前記画像データに基づく画像を前記第２表示部に表示させる請求項１に記載の携帯型電子機器。
【請求項３】
第１表示部を有する第１筐体と、
第２表示部を有する第２筐体と、
前記第２表示部を視認可能な第１状態と、前記第２表示部を視認不可能な第２状態との間で変位可能に、前記第１筐体と前記第２筐体とを連結する機構と、
前記第１状態と前記第２状態とを検出する状態検出手段と、
画像データと当該画像データに関連付けられた位置情報とを取得する取得手段と、
現在位置に関する現在位置情報を取得する位置情報取得手段と、
入力された目的地に関する目的地情報と前記現在位置情報とに基づいて、前記現在位置から前記目的地までの経路を表した案内地図を取得する案内情報取得手段と、
前記第１表示部および前記第２表示部における表示内容を制御する表示制御手段と、
前記画像データの中から、前記目的地周辺の位置情報を関連付けられた画像データを検索する画像検索手段と、
をさらに備え、
前記表示制御手段は、前記案内地図を前記第１表示部に表示させるとともに、前記状態検出手段によって前記第１状態が検出された場合、前記画像検索手段によって検索された画像データに基づく画像を前記第２表示部に表示させる携帯型電子機器。
【請求項４】
前記第１表示部の表示面に設けられた第１タッチパネル、
をさらに備え、
前記表示制御手段は、前記第１タッチパネル上での所定操作に応じて、第１表示部の表示内容と第２表示部の表示内容とを入れ替える請求項２または請求項３に記載の携帯型電子機器。
【請求項５】
前記第２表示部の表示面に設けられた第２タッチパネル、
をさらに備え、
前記表示制御手段は、前記第２タッチパネル上での所定操作に応じて、第１表示部の表示内容と第２表示部の表示内容とを入れ替える請求項２または請求項３に記載の携帯型電子機器。
【請求項６】
第１表示部および第２表示部を有する携帯型電子機器の動作方法であって、
ａ）画像データと当該画像データに関連付けられた位置情報とを取得する工程と、
ｂ）現在位置に関する現在位置情報を取得する工程と、
ｃ）前記画像データに関連付けられた前記位置情報と前記現在位置情報とに基づいて、前記現在位置から前記画像データに関連付けられた前記位置情報によって示される地点までの経路を表した案内地図を取得する工程と、
ｄ）前記案内地図を前記第１表示部に表示させ、前記画像データに基づく画像を前記第２表示部に表示させる工程と、
を備える携帯型電子機器の動作方法。
【発明の詳細な説明】
【技術分野】
【０００１】
本発明は、携帯型電子機器を用いた情報提供技術に関する。
【背景技術】
【０００２】
近年、地図情報の電子化に伴い、画像データに関する位置情報と地図情報とを関連付けて利用する技術が存在する。
【０００３】
例えば、特許文献１には、撮影地点の位置情報を含む画像データから撮影地点の情報を含む地図データを抽出し、当該地図データをディスプレイ等の画像出力装置に出力する地図検索装置が提案されている。
【先行技術文献】
【特許文献】
【０００４】
【特許文献１】特開２００２−２０２９７６号公報
【発明の概要】
【発明が解決しようとする課題】
【０００５】
しかしながら、特許文献１に記載の技術では、画像をディスプレイに表示した状態から、当該画像に関連して抽出された地図をディスプレイに表示させると、画像を確認することができなくなる。
【０００６】
そこで、本発明は、画像、および当該画像に関連する地図の視認性を向上させることが可能な技術を提供することを目的とする。
【課題を解決するための手段】
【０００７】
本発明に係る携帯型電子機器は、第１表示部を有する第１筐体と、第２表示部を有する第２筐体と、画像データと当該画像データに関連付けられた位置情報とを取得する取得手段と、現在位置に関する現在位置情報を取得する位置情報取得手段と、前記画像データに関連付けられた前記位置情報と前記現在位置情報とに基づいて、前記現在位置から前記画像データに関連付けられた前記位置情報によって示される地点までの経路を表した案内地図を取得する案内情報取得手段と、前記第１表示部および前記第２表示部における表示内容を制御する表示制御手段とを備え、前記表示制御手段は、前記案内地図を前記第１表示部に表示させ、前記画像データに基づく画像を前記第２表示部に表示させる。
【０００８】
また、本発明に係る携帯型電子機器の一態様では、携帯型電子機器は、前記第２表示部を視認可能な第１状態と、前記第２表示部を視認不可能な第２状態との間で変位可能に、前記第１筐体と前記第２筐体とを連結する機構と、前記第１状態と前記第２状態とを検出する状態検出手段とをさらに備え、前記表示制御手段は、前記案内地図を前記第１表示部に表示させるとともに、前記状態検出手段によって前記第１状態が検出された場合、前記画像データに基づく撮影画像を前記第２表示部に表示させる。
【０００９】
また、本発明に係る携帯型電子機器は、第１表示部を有する第１筐体と、第２表示部を有する第２筐体と、前記第２表示部を視認可能な第１状態と、前記第２表示部を視認不可能な第２状態との間で変位可能に、前記第１筐体と前記第２筐体とを連結する機構と、前記第１状態と前記第２状態とを検出する状態検出手段と、画像データと当該画像データに関連付けられた位置情報とを取得する取得手段と、現在位置に関する現在位置情報を取得する位置情報取得手段と、入力された目的地に関する目的地情報と前記現在位置情報とに基づいて、前記現在位置から前記目的地までの経路を表した案内地図を取得する案内情報取得手段と、前記第１表示部および前記第２表示部における表示内容を制御する表示制御手段と、前記画像データの中から、前記目的地周辺の位置情報を関連付けられた画像データを検索する画像検索手段とをさらに備え、前記表示制御手段は、前記案内地図を前記第１表示部に表示させるとともに、前記状態検出手段によって前記第１状態が検出された場合、前記画像検索手段によって検索された画像データに基づく画像を前記第２表示部に表示させる。
【００１０】
また、本発明に係る携帯型電子機器の一態様では、携帯型電子機器は、前記第１表示部の表示面に設けられた第１タッチパネルをさらに備え、前記表示制御手段は、前記第１タッチパネル上での所定操作に応じて、第１表示部の表示内容と第２表示部の表示内容とを入れ替える。
【００１１】
また、本発明に係る携帯型電子機器の一態様では、携帯型電子機器は、前記第２表示部の表示面に設けられた第２タッチパネル、をさらに備え、前記表示制御手段は、前記第２タッチパネル上での所定操作に応じて、第１表示部の表示内容と第２表示部の表示内容とを入れ替える。
【００１２】
また、本発明に係る第１表示部および第２表示部を有する携帯型電子機器の動作方法は、ａ）画像データと当該画像データに関連付けられた位置情報とを取得する工程と、ｂ）現在位置に関する現在位置情報を取得する工程と、ｃ）前記画像データに関連付けられた前記位置情報と前記現在位置情報とに基づいて、前記現在位置から前記画像データに関連付けられた前記位置情報によって示される地点までの経路を表した案内地図を取得する工程と、ｄ）前記案内地図を前記第１表示部に表示させ、前記画像データに基づく画像を前記第２表示部に表示させる工程とを備える。
【発明の効果】
【００１３】
本発明によれば、画像、および当該画像に関連する地図の視認性を向上させることができる。
【図面の簡単な説明】
【００１４】
【図１】携帯型電子機器を含む通信システムの構成図である。
【図２】携帯電話機の外観構成を示す図である。
【図３】携帯電話機の外観構成を示す図である。
【図４】第１実施形態に係る携帯電話機の機能構成を示すブロック図である。
【図５】ナビゲーションモードにおける携帯電話機の動作を示すフローチャートである。
【図６】画像を選択する際の選択画面を示す図である。
【図７】データテーブルとして記憶された表示変更可否データを示す図である。
【図８】携帯電話機の各表示部における表示態様を示す図である。
【図９】携帯電話機の各表示部における表示態様を示す図である。
【図１０】ナビゲーションモードにおける携帯電話機の動作を示すフローチャートである。
【図１１】携帯電話機のスライド状態に応じた表示部の表示態様を示す図である。
【図１２】第３実施形態に係る携帯電話機の機能構成を示すブロック図である。
【図１３】ナビゲーションモードにおける携帯電話機の動作を示すフローチャートである。
【図１４】タッチパネル操作による表示内容の入れ替え動作を示すフローチャートである。
【発明を実施するための形態】
【００１５】
以下、本発明の実施形態について図面を参照して説明する。
【００１６】
＜１．第１実施形態＞
＜構成概要＞
図１は、本発明の第１実施形態に係る携帯型電子機器１０を含む通信システムＳＹの構成図である。なお、本発明では、携帯型電子機器１０として携帯電話機１Ａを採用する場合について例示する。図２および図３は、携帯電話機１Ａの外観構成を示す図である。
【００１７】
図１に示されるように、通信システムＳＹは、携帯電話機１Ａ、通信ネットワーク５、インターネット７、サーバ装置６、および衛星８を含んで構成され、現在位置から目的地までの経路を地図上に案内するサービスを携帯電話機１Ａで提供する。携帯電話機１Ａは、通信ネットワーク（移動体通信網）５を介してコンテンツプロバイダ側のサーバ装置６およびインターネット７に接続されている。また、携帯電話機１Ａは、衛星８からのＧＰＳ信号を受信可能に構成され、衛星８からのＧＰＳ信号に基づいて現在位置を特定可能となっている。
【００１８】
図２に示されるように、携帯電話機１Ａは、２つの筐体１１，１２を有している。２つの筐体１１，１２は、互いの相対位置をオープン状態（開状態）とクローズ状態（閉状態）との間で変位可能にする機構によって連結されている。図２には、一方の筐体（例えば筐体１２）を他方の筐体（例えば筐体１１）に対してスライド移動させたオープン状態の携帯電話機１Ａが示され、図３には、クローズ状態の携帯電話機１Ａが示されている。
【００１９】
また、筐体１１，１２には、液晶ディスプレイ、有機ＥＬディスプレイ等の表示部１５，１６がそれぞれ設けられている。これにより、携帯電話機１Ａのオープン状態では、ユーザ（使用者）は、筐体１１，１２に設けられた表示部１５，１６をそれぞれ視認することが可能になる。一方、携帯電話機１Ａのクローズ状態では、第２表示部１６は筐体１１によって隠されるので、ユーザは、第２表示部１６を視認することができなくなる。
【００２０】
＜携帯電話機１Ａの機能＞
次に、携帯電話機１Ａの機能構成について説明する。図４は、携帯電話機１Ａの機能構成を示すブロック図である。
【００２１】
図４に示されるように、携帯電話機１Ａは、ＧＰＳ受信部１０１、無線送受信部１０２、撮像部１０３、音声出力部１０４、第１表示部１５、第２表示部１６、第１表示部１５に設けられたタッチパネル１０５、第２表示部１６に設けられたタッチパネル１０６、および全体制御部１１０等を備えている。
【００２２】
ＧＰＳ受信部１０１は、アンテナを介して衛星８からのＧＰＳ信号を受信し、ＧＰＳ信号を全体制御部１１０に伝達する機能を有している。
【００２３】
無線送受信部１０２は、通信ネットワーク５に接続されたサーバ装置６およびインターネット７と、アンテナを介して通信可能な機能を有している。
【００２４】
撮像部１０３は、光電変換素子である撮像素子（ＣＣＤまたはＣＭＯＳ等）を備えて構成され、被写体像に係る画像信号を取得する。撮像素子で生成された画像信号には、Ａ／Ｄ変換、および画像処理等が施された後、撮影画像として例えば記憶部１０７に記憶される。
【００２５】
音声出力部１０４は、全体制御部１１０からの音声データを、音声に変換して外部出力する機能を有し、例えば、ナビゲーションモード（後述）では経路案内のための音声が出力される。
【００２６】
第１表示部１５および第２表示部１６の各表示面には、操作部として機能する透過式タッチパネル（単に「タッチパネル」とも称する）１０５，１０６が設けられている。タッチパネル１０５，１０６は、ユーザによるタッチ位置（接触位置）を検出可能であり、ユーザは、表示部１５，１６に表示される図柄に対応した指示をタッチパネル１０５，１０６を介して携帯電話機１Ａに入力することができる。
【００２７】
全体制御部１１０は、マイクロコンピュータとして構成され、主にＣＰＵ１１０Ａ、ＲＡＭ１１０ＢおよびＲＯＭ１１０Ｃ等を備えている。全体制御部１１０は、ＲＯＭ１１０Ｃ内に格納されたプログラムを読み出し、当該プログラムをＣＰＵ１１０Ａで実行することによって、各種機能を実現する。図４における、撮影制御部１１１、操作内容認識部１１２、表示制御部１１３、状態検出部１１４、位置情報取得部１１５、および案内情報取得部（案内地図取得部）１１６は、全体制御部１１０においてプログラムを実行することによって実現される機能を機能ブロックとして表したものである。
【００２８】
撮影制御部１１１は、被写体を撮影する際の撮影モードにおいて撮像部１０３を用いた撮影動作を制御する機能を有している。
【００２９】
操作内容認識部１１２は、表示部１５，１６の表示内容と、タッチパネル１０５，１０６のタッチ位置とに基づいて、ユーザの操作内容を認識する機能を有している。
【００３０】
表示制御部１１３は、表示部１５，１６における表示内容を制御する。例えば、表示制御部１１３は、記憶部１０７に記憶された画像データを表示する画像表示モードにおいて、記憶部１０７に蓄えられた各画像を表示部１５（または表示部１６）に表示させる。
【００３１】
状態検出部１１４は、携帯電話機１Ａを構成する筐体１１，１２のスライド状態に応じて、携帯電話機１Ａの状態検出を行う。当該状態検出部１１４では、２つの表示部１５，１６を視認可能なオープン状態と、第２表示部１６を視認不可能なクローズ状態とが検出される。
【００３２】
位置情報取得部１１５は、ＧＰＳ受信部１０１で受信されたＧＰＳ信号に基づいて、現在位置に関する情報（「現在位置情報」とも称する）を取得する。
【００３３】
案内情報取得部１１６は、例えば、ナビゲーション用のソフトウェアを実行することにより実現される機能部であり、現在位置（現在地）から目的地までの経路（案内経路）を表した案内地図を案内情報として取得する。案内地図は、目的地に関する情報（目的地情報）と現在位置情報とに基づいて案内情報取得部１１６で生成されて取得される態様としてもよく、案内情報取得部１１６によって携帯電話機１Ａの外部から取得される態様としてもよい。
【００３４】
具体的には、案内情報を内部生成する場合は、案内情報取得部１１６は、目的地情報と現在位置情報とに基づいて記憶部１０７（またはＲＯＭ１１０Ｃ）に予め記憶されていた地図データ上において案内経路を特定し、当該案内経路を含んだ地図データを生成する。なお、地図データは記憶部１０７から取得される態様に限定されず、インターネット７から取得される態様としてもよい。一方、案内情報を外部取得する場合は、案内情報取得部１１６は、目的地情報と現在位置情報とをサーバ装置６に転送し、案内経路を含んだ案内地図をサーバ装置６からダウンロードすることによって取得する。
【００３５】
＜動作＞
以下では、携帯電話機１Ａの動作について説明する。
【００３６】
携帯電話機１Ａでは、ユーザは、タッチパネル１０５，１０６等を用いた選択操作によって、ナビゲーションモード、撮影モード、および画像表示モード等を有効化させることができる。ここでは、目的地までの案内を行うナビゲーションモードが有効化されている場合の携帯電話機１Ａの動作について説明する。図５は、ナビゲーションモードにおける携帯電話機１Ａの動作を示すフローチャートである。図６は、画像を選択する際の選択画面を示す図である。図７は、データテーブルとして記憶された表示変更可否データを示す図である。図８および図９は、携帯電話機１Ａの各表示部１５，１６における表示態様を示す図である。
【００３７】
目的地までの案内を行うナビゲーションモードでは、目的地情報が携帯電話機１Ａに入力されて、目的地までの案内地図が表示される。目的地情報の入力は、例えば、目的地の住所を携帯電話機１Ａに直接入力すること、或いは地図上で目的地を指定することによって実現できるが、本実施形態では、関連付けられた位置情報（「関連位置情報」とも称する）を有する画像データをユーザが指定することによって目的地情報の入力を行う。すなわち、ここでは、画像データに関連付けられた位置情報によって示される地点を目的地として、目的地までの案内地図を表示する場合について例示する。
【００３８】
なお、関連位置情報を有する画像データは、例えば、デジタルスチルカメラによって生成されるＥｘｉｆの規格に基づいた画像ファイルである。当該画像ファイルは、デジタルスチルカメラで撮影が行われた際に、撮影地点、撮影日時および撮影条件等の付加情報（「Ｅｘｉｆ情報」とも称する）を撮影画像に関連付けて生成される。また、関連位置情報には、撮影された際の撮影地点に関する情報が含まれていてもよく、被写体の存在位置に関する情報が含まれていてもよい。撮影地点および被写体の存在位置に関する各情報は、撮影後に、ユーザによって付加される場合も想定される。
【００３９】
携帯電話機１Ａの具体的動作としては、まず、図５に示されるように、ステップＳＰ１１において、表示制御部１１３によって第１表示部１５に画像が表示される。画像の表示態様としては、例えば、図６に示されるように第１表示部１５の画面に複数の縮小画像を並べて表示する表示態様を採用することができる。
【００４０】
ステップＳＰ１１で第１表示部１５に表示される画像は、記憶部１０７に予め記憶されている画像、或いは通信ネットワーク５を介して外部（インターネット７等）からリアルタイムに取得される画像であってもよい。なお、記憶部１０７に予め記憶されている画像は、ユーザが携帯電話機１Ａで撮影した画像であってもよく、ユーザが通信ネットワーク５を介して外部から取得した画像であってもよい。すなわち、携帯電話機１Ａが備える画像データの取得手段には、撮像部１０３および撮影制御部１１１によって実現される撮影手段、および無線送受信部１０２を用いた外部通信によって実現されるデータ取得手段が含まれる。
【００４１】
ステップＳＰ１２では、表示面へのタッチ操作（タップ）によって、表示された画像の中から関連位置情報を有する画像（「位置情報付き画像」とも称する）が選択されたか否かが判断される。位置情報付き画像が選択されなかった場合は、目的地情報が入力されなかったことになるので、目的地までの案内動作を行うことなくステップＳＰ１４に移行され、画像選択に基づいた画像表示等の通常処理が実行される。一方、タッチ操作によって位置情報付き画像が選択された場合は、動作工程は、ステップＳＰ１３に移行される。
【００４２】
ステップＳＰ１３では、第２表示部１６の表示内容を表示変更可能か否かが判断される。表示変更可能か否かの判断（表示変更可否判断）は、ＲＯＭ１１０Ｃに記憶された表示変更可否データＨＤに基づいて行うことができる。表示変更可否データＨＤは、例えば、図７に示されるようなデータテーブルとして記憶されていてもよい。図７に示される表示変更可否データＨＤでは、アプリケーションソフトウェアＡＰ１，ＡＰ３，ＡＰ４，ＡＰ６に関する情報が第２表示部１６に表示されている場合に、表示変更「可」と設定され、アプリケーションソフトウェアＡＰ２，ＡＰ５に関する情報が第２表示部１６に表示されている場合に、表示変更「不可」と設定されている。
【００４３】
当該ステップＳＰ１３で、第２表示部１６の表示変更が不可であると判定された場合は、目的地までの案内動作を行うことなくステップＳＰ１４の通常処理が実行される。一方、第２表示部１６の表示変更が可能であると判定された場合は、動作工程は、ステップＳＰ１５に移行される。
【００４４】
ステップＳＰ１５では、表示制御部１１３によって、第２表示部１６の表示内容が変更され、第２表示部１６に選択された画像（選択画像）が表示される。図８に示されるように、例えば、選択画像として画像ＳＧ６が選択された場合は、第２表示部１６には画像ＳＧ６が拡大されて表示される。
【００４５】
ステップＳＰ１６では、選択画像から目的地情報が取得される。具体的には、選択画像の画像データに関連付けられた位置情報が目的地情報として取得される。
【００４６】
ステップＳＰ１７では、位置情報取得部１１５によって現在位置情報が取得される。
【００４７】
ステップＳＰ１８では、案内情報取得部１１６によって地図データが取得され、ステップＳＰ１９では、案内情報取得部１１６によって、地図データ上における目的地（ここでは、関連位置情報が示す地点）までの案内経路が特定され、当該案内経路を含んだ地図データが生成される。
【００４８】
そして、ステップＳＰ２０では、表示制御部１１３によって案内経路を含む地図が第１表示部１５に表示される。具体的には、図９に示されるように、現在地ＣＰから目的地ＭＰ（画像ＳＧ６の関連位置情報により得られた地点）までの案内経路ＫＲを含む地図ＭＡが、第１表示部１５に表示される。
【００４９】
次のステップＳＰ２１では、ナビゲーションモードが継続されているか否かが判定され、ナビゲーションモードが継続されていない場合は、ナビゲーションモードにおける携帯電話機１Ａの動作は終了される。一方、ナビゲーションモードが継続されている場合は、動作工程は、ステップＳＰ１７に移行される。すなわち、ナビゲーションモードが継続されている間は、携帯電話機１Ａでは、ステップＳＰ１７〜ステップＳＰ２１の処理が繰り返し実行されることになる。
【００５０】
以上のように、現在地ＣＰから目的地ＭＰまでの案内経路ＫＲを含む地図ＭＡを第１表示部１５に表示させるとともに、第２表示部１６に目的地で撮影された画像ＳＧ６を表示させることによれば、ユーザは、画像と当該画像に関連する地図とを同時に視認することが可能になるので、視認性を向上させることができる。
【００５１】
また、同時に視認可能な第１表示部１５と第２表示部１６とを有する携帯電話機１Ａでは、地図と画像とを異なる画面に別々に表示させることが可能になるので、地図および画像の視認性をさらに向上させることができる。
【００５２】
＜２．第２実施形態＞
次に、本発明の第２実施形態について説明する。上記第１実施形態では、携帯電話機１Ａが常にオープン状態である場合を想定していたが、第２実施形態では、携帯電話機１Ｂのスライド状態に応じて第２表示部１６の表示制御が行われる。
【００５３】
なお、第２実施形態に係る携帯電話機１Ｂは、携帯電話機１Ａとほぼ同様の構造および機能（図１〜図４参照）を有しており、共通する部分については同じ符号を付して説明を省略する。
【００５４】
携帯電話機１Ｂの動作について図１０を用いて説明する。図１０は、ナビゲーションモードにおける携帯電話機１Ｂの動作を示すフローチャートである。図１１は、携帯電話機１Ｂのスライド状態に応じた表示部の表示態様を示す図である。
【００５５】
図１０に示されるように、携帯電話機１Ｂでは、ステップＳＰ３１において、表示制御部１１３（図４参照）によって第１表示部１５に画像が表示される。
【００５６】
ステップＳＰ３２では、表示面へのタッチ操作によって、表示された画像の中から関連位置情報を有する画像が選択されたか否かが判断される。位置情報付き画像が選択されなかった場合は、目的地情報が入力されなかったことになるので、目的地までの案内動作を行うことなくステップＳＰ３３に移行され、画像選択に基づいた画像表示等の通常処理が実行される。一方、タッチ操作によって位置情報付き画像が選択された場合は、動作工程は、ステップＳＰ３４に移行される。
【００５７】
ステップＳＰ３４では、選択画像の画像データに関連付けられた位置情報が目的地情報として取得される。
【００５８】
ステップＳＰ３５では、状態検出部１１４によって、携帯電話機１Ｂのスライド状態に応じた状態検出が行われる。ステップＳＰ３５でオープン状態でない（クローズ状態である）と判定された場合は、動作工程はステップＳＰ３６を飛ばしてステップＳＰ３７に移行される。なお、クローズ状態であると判定された場合は、第２表示部１６の表示は、自動的にオフされる。
【００５９】
一方、ステップＳＰ３５でオープン状態であると判定された場合は、動作工程はステップＳＰ３６に移行される。
【００６０】
ステップＳＰ３６では、表示制御部１１３によって、第２表示部１６に選択画像が拡大して表示される。
【００６１】
ステップＳＰ３７では、位置情報取得部１１５によって現在位置情報が取得される。
【００６２】
ステップＳＰ３８では、案内情報取得部１１６によって地図データが取得され、ステップＳＰ３９では、案内情報取得部１１６によって、地図データ上における目的地までの案内経路が特定され、当該案内経路を含んだ地図データが生成される。
【００６３】
そして、ステップＳＰ４０では、表示制御部１１３によって案内経路を含む地図が第１表示部１５に表示される。
【００６４】
次のステップＳＰ４１では、ナビゲーションモードが継続されているか否かが判定され、ナビゲーションモードが継続されていない場合は、ナビゲーションモードにおける携帯電話機１Ｂの動作は終了される。一方、ナビゲーションモードが継続されている場合は、動作工程は、ステップＳＰ３５に移行される。すなわち、ナビゲーションモードが継続されている間は、携帯電話機１Ｂでは、ステップＳＰ３５〜ステップＳＰ４１の処理が繰り返し実行されることになる。
【００６５】
以上のように、携帯電話機１Ｂでは、オープン状態の検出に応じて第２表示部１６に選択画像の表示が行われることになる。具体的には、図１１に示されるように、クローズ状態ＳＴ１では、第１表示部１５に案内経路ＫＲを含む地図ＭＡが表示され、オープン状態ＳＴ２になると、第１表示部１５に案内地図ＭＡが表示されるとともに、第２表示部１６に選択画像ＳＧ６が表示される。これによれば、オープン状態では、ユーザは、地図と画像とを同時に視認することが可能になるので、利便性が向上する。
【００６６】
＜３．第３実施形態＞
次に、本発明の第３実施形態について説明する。上記第１実施形態では、目的地情報の入力を関連位置情報を有する画像データを指定することにより行っていたが、第３実施形態では、ユーザが目的地の住所を入力することによって、或いはユーザが地図上で目的地を指定することによって、目的地情報が入力される。図１２は、第３実施形態に係る携帯電話機１Ｃの機能構成を示すブロック図である。
【００６７】
なお、第３実施形態に係る携帯電話機１Ｃは、携帯電話機１Ａとほぼ同様の構造および機能（図１〜図４参照）を有しており、共通する部分については同じ符号を付して説明を省略する。
【００６８】
図１２に示されるように、携帯電話機１Ｃの全体制御部１１０では、画像検索部１１７がさらに実現される。
【００６９】
画像検索部１１７は、入力された目的地情報に基づいて、記憶部１０７に記憶された、関連位置情報を有する画像データの中から、目的地周辺の位置情報を関連付けられた画像データを検索する機能を有している。なお、画像の検索領域としては、ユーザによって予め設定された領域としてもよく、例えば、目的地を中心とした所定範囲の領域を採用することができる。
【００７０】
ここで、携帯電話機１Ｃの動作について説明する。図１３は、ナビゲーションモードにおける携帯電話機１Ｃの動作を示すフローチャートである。
【００７１】
図１３に示されるように、携帯電話機１Ｃでは、ステップＳＰ５１において、目的地情報が携帯電話機１Ｃに入力されたか否かが判定される。目的地情報が入力された場合は、ステップＳＰ５２に移行され、入力されない場合は、待機状態となる。なお、目的地の入力は、目的地となる場所の住所入力、または、地図上での目的地の指定等によって行われる。
【００７２】
ステップＳＰ５２では、位置情報取得部１１５によって現在位置情報が取得される。
【００７３】
ステップＳＰ５３では、案内情報取得部１１６によって地図データが取得され、ステップＳＰ５４では、案内情報取得部１１６によって、入力された目的地までの案内経路が地図データ上で特定され、当該案内経路を含んだ地図データが生成される。
【００７４】
そして、ステップＳＰ５５では、表示制御部１１３によって案内経路を含む地図が第１表示部１５に表示される。
【００７５】
ステップＳＰ５６では、状態検出部１１４によって、携帯電話機１Ｃのスライド状態に応じた状態検出が行われる。ステップＳＰ５６でオープン状態でない（クローズ状態である）と判定された場合は、動作工程はステップＳＰ６０に移行される。
【００７６】
一方、ステップＳＰ５６でオープン状態であると判定された場合は、動作工程はステップＳＰ５７に移行される。
【００７７】
ステップＳＰ５７では、画像検索部１１７によって、記憶部１０７に記憶されている画像の中から、目的地周辺の関連位置情報を有する画像（「周辺画像」とも称する）が検索される。周辺画像の検索は、画像データが有する関連位置情報により特定される地点が、検索領域に含まれるか否かに基づいて行われる。なお、本実施形態では、目的地周辺の画像検索は、オープン状態の検出後に行っているが、オープン状態の検出前（ステップＳＰ５６の前）で行ってもよい。
【００７８】
ステップＳＰ５８では、記憶部１０７に記憶された画像データの中から周辺画像が発見（抽出）されたか否かが判断される。周辺画像が発見されなかった場合は、動作工程はステップＳＰ６０に移行される。一方、周辺画像が発見された場合は、動作工程はステップＳＰ５９に移行される。
【００７９】
ステップＳＰ５９では、表示制御部１１３によって、第２表示部１６に周辺画像が表示される。
【００８０】
次のステップＳＰ６０では、ナビゲーションモードが継続されているか否かが判定され、ナビゲーションモードが継続されていない場合は、ナビゲーションモードにおける携帯電話機１Ｃの動作は終了される。一方、ナビゲーションモードが継続されている場合は、動作工程は、ステップＳＰ５２に移行される。すなわち、ナビゲーションモードが継続されている間は、携帯電話機１Ｃでは、ステップＳＰ５２〜ステップＳＰ６０の処理が繰り返し実行されることになる。
【００８１】
以上のように、撮像装置１Ｃでは、ユーザによって目的地に関する目的地情報が入力され、現在地から入力された目的地までの案内経路を含む地図が第１表示部１５に表示される。そして、目的地周辺の関連位置情報を有する周辺画像が検索され、オープン状態の際には、当該周辺画像が第２表示部１６に表示される。これによれば、オープン状態では、ユーザは、地図と目的地周辺の画像とを同時に視認することが可能になるので、利便性が向上する。
【００８２】
＜４．変形例＞
以上、この発明の実施の形態について説明したが、この発明は上記説明した内容のものに限定されるものではない。
【００８３】
例えば、上記実施形態では、第１表示部１５に案内経路を含む地図を表示し、第２表示部１６に目的地で撮影された画像を表示していたが、これに限定されない。
【００８４】
具体的には、第１表示部１５に目的地で撮影された画像を表示し、第２表示部１６に案内経路を含む地図を表示してもよい。
【００８５】
また、第１表示部１５の表示内容と第２表示部１６の表示内容とをタッチパネル上での所定操作に応じて入れ替えてもよい。図１４は、タッチパネル操作による表示内容の入れ替え動作を示すフローチャートである。
【００８６】
具体的には、図１４に示されるように、タッチパネルへの接触が検出されると、ステップＳＰ７１では、操作内容認識部１１２によって、タッチパネル上での操作が第１表示部１５における下方への払い操作（「フリック」とも称する）であるか否かが判定される。具体的には、第１表示部１５と第２表示部１６とが並んで配置されるオープン状態において、第１表示部１５に設けられたタッチパネル１０５で実行される払い操作が、第１表示部１５から第２表示部１６に向かう方向への操作であるか否かが判定される。下方への払い操作であった場合は、動作工程はステップＳＰ７３に移行される。一方、下方への払い操作でなかった場合は、動作工程はステップＳＰ７２に移行される。
【００８７】
ステップＳＰ７２では、操作内容認識部１１２によって、タッチパネル上での操作が第２表示部１６における上方への（詳細には、第２表示部１６から第１表示部１５に向かう方向への）払い操作であるか否かが判定される。上方への払い操作であった場合は、動作工程はステップＳＰ７２に移行される。一方、上方への払い操作でなかった場合は、動作工程はステップＳＰ７６に移行され、通常のタッチパネル検出処理が行われる。
【００８８】
ステップＳＰ７３では、第１表示部１５に画像が表示され、かつ第２表示部１６に地図が表示されているか否かの表示内容判定が行われる。ステップＳＰ７３の表示内容判定において、判定条件を満足すると判定された場合は、動作工程はステップＳＰ７５に移行される。一方、ステップＳＰ７３の表示内容判定において、判定条件を満足しないと判定された場合は、動作工程はステップＳＰ７４に移行される。
【００８９】
ステップＳＰ７４では、第１表示部１５に地図が表示され、かつ第２表示部１６に画像が表示されているか否かの表示内容判定が行われる。ステップＳＰ７４の表示内容判定において、判定条件を満足すると判定された場合は、動作工程はステップＳＰ７５に移行される。一方、ステップＳＰ７４の表示内容判定において、判定条件を満足しないと判定された場合は、動作工程はステップＳＰ７６に移行され、通常のタッチパネル検出処理が行われる。
【００９０】
ステップＳＰ７３またはステップＳＰ７４の表示内容判定において、判定条件を満足する場合は、ステップＳＰ７５において、表示制御部１１３によって表示内容の入れ替え処理が行われる。
【００９１】
このように、ユーザの指示により第１表示部１５の表示内容と第２表示部１６の表示内容とを入れ替えることによれば、ユーザの利便性をさらに向上させることができる。
【符号の説明】
【００９２】
１Ａ，１Ｂ  携帯電話機
１０  携帯型電子機器
１１，１２  筐体
１５  第１表示部
１６  第２表示部
１０５，１０６  タッチパネル
１０７  記憶部
１１１  撮影制御部
１１２  操作内容認識部
１１３  表示制御部
１１４  状態検出部
１１５  位置情報取得部
１１６  案内情報取得部
ＫＲ  案内経路
ＭＡ  案内地図
ＭＰ  目的地
ＳＴ１  クローズ状態
ＳＴ２  オープン状態
【図１】
2011090002.tif 000003
【図２】
2011090002.tif 000004
【図３】
2011090002.tif 000005
【図４】
2011090002.tif 000006
【図５】
2011090002.tif 000007
【図６】
2011090002.tif 000008
【図７】
2011090002.tif 000009
【図８】
2011090002.tif 000010
【図９】
2011090002.tif 000011
【図１０】
2011090002.tif 000012
【図１１】
2011090002.tif 000013
【図１２】
2011090002.tif 000014
【図１３】
2011090002.tif 000015
【図１４】
2011090002.tif 000016